(57)【要約】  【課題】  医療用画像表示方法および装置において、表示画面から診断情報を容易に読み取ることができるようにする。  【解決手段】  画像データを複数のグループに分類するグループ分類条件と、各グループ毎に定められる表示項目およびこの表示項目に応じた項目情報を表示させる表示画面上の表示位置とを予め登録用パーソナルコンピュータ１０に登録しておき、入力された画像データを分類手段２０によって上記登録されている特定のグループに分類し、上記画像データが属するこの特定のグループについて定められている表示項目および表示位置にしたがって上記項目情報を表示制御手段３０によって表示器４０に表示させる。【選択図】          図１
2005251075.tif 000002
【特許請求の範囲】
【請求項１】
画像データを複数のグループに分類するグループ分類条件と、表示項目に応じた項目情報を表示させる表示画面上における前記グループ毎の表示位置とを予め登録しておき、
入力された画像データを前記登録されているグループ分類条件に基づいて特定のグループに分類し、
前記画像データが属する特定のグループについて定められている前記表示項目および前記表示位置にしたがって前記項目情報を表示させることを特徴とする医療用画像表示方法。
【請求項２】
前記表示項目を前記グループ毎に予め登録しておくことを特徴とする請求項１記載の医療用画像表示方法。
【請求項３】
画像データを複数のグループに分類するグループ分類条件と、表示項目に応じた項目情報を表示させる表示画面上における前記グループ毎の表示位置とを予め登録しておく登録手段と、
入力された画像データを前記グループ分類条件に基づいて特定のグループに分類する分類手段と、
前記画像データが属する特定のグループについて定められている前記表示項目および前記表示位置にしたがって前記項目情報を表示させる表示制御手段とを備えていることを特徴とする医療用画像表示装置。
【請求項４】
前記登録手段が前記表示項目を前記グループ毎に予め登録しておくものであることを特徴とする請求項３記載の医療用画像表示装置。
【発明の詳細な説明】
【技術分野】
【０００１】
本発明は、医療用画像表示方法および装置に関し、詳しくは、医療用画像と共にこの医療用画像に付帯される付帯情報を表示させる医療用画像表示方法および装置に関するものである。
【背景技術】
【０００２】
従来より、医療用画像を表示画面上に表示させて診断を行なう際に、被写体の画像を表示させると共にこの被写体の画像に付帯する付帯情報を表示させている。上記付帯情報として表示される表示項目としては、例えば、患者情報（氏名、患者ＩＤ、生年月日等）や撮影情報（撮影部位、撮影方向等）が挙げられ、これらの表示項目に関する情報（項目情報）が表示画面上に表示されるときには、被写体の画像を表す画面フレームに上記項目情報を表す画面フレームがオーバーレイされて被写体の画像と項目情報とが同時に表示画面上に表示されている。
【０００３】
上記医療用画像を表示させる医療用画像装置においては上記表示項目の種類やこの表示項目に応じた項目情報を表示させる表示位置は予め定められているので、表示画面上に表示される表示項目および上記表示位置は表示させる医療用画像の種類に拘らず常に同じ形態となっている（特許文献１参照）。
【特許文献１】特開２０００―２８７９５７号公報
【発明の開示】
【発明が解決しようとする課題】
【０００４】
ところで、近年、互いに異なる撮影モダリティを有する複数の医療装置と、医療用画像表示装置とを共通のネットワーク上で使用するような医療システムが構築されることがあり、このような異なる撮影モダリティを有する医療装置から出力される被写体の画像および付帯情報を同一の医療用画像表示装置で表示させたい場合がある。
【０００５】
しかしながら、医療用画像表示装置によって表示される上記表示項目の種類や項目情報の表示位置が医療用画像の種類に拘らず共通であると、撮影部位や撮影方向等によっては被写体を表す画面フレーム中の被写体が占める領域と項目情報を表す画面フレーム中の項目情報が表示される領域とが重なってオーバーレイされて表示画面上に表示されてしまったり、注目している項目情報が表示画面上の見にくい場所に表示されてしまうことがある。このような場合には、表示画面から診断に必要な診断情報を読み取るのに時間を要し、さらに読み取りが困難な場合には、例えばオーバーレイを解除して項目情報を非表示にして被写体の画像のみを表示させて診断情報を読み取ったりする必要があり、診断の効率が低下するという問題がある。
【０００６】
本発明は、上記事情に鑑みてなされたものであり、表示画面から診断情報を容易に読み取ることができる医療用画像表示方法および装置を提供することを目的とするものである。
【課題を解決するための手段】
【０００７】
本発明の医療用画像表示方法は、画像データを複数のグループに分類するグループ分類条件と、各グループ毎に定められる表示項目および該表示項目に応じた項目情報を表示させる表示画面上の表示位置とを予め登録しておき、入力された画像データを前記登録されているグループ分類条件に基づいて特定のグループに分類し、前記画像データが属する特定のグループについて定められている前記表示項目および前記表示位置にしたがって前記項目情報を表示させることを特徴とするものである。
【０００８】
本発明の医療用画像表示装置は、画像データを複数のグループに分類するグループ分類条件と、各グループ毎に定められる表示項目および該表示項目に応じた項目情報を表示させる表示画面上の表示位置とを予め登録しておく登録手段と、入力された画像データを前記グループ分類条件に基づいて特定のグループに分類する分類手段と、前記画像データが属する特定のグループについて定められている前記表示項目および前記表示位置にしたがって前記項目情報を表示させる表示制御手段とを備えていることを特徴とするものである。
【０００９】
前記登録手段は、前記表示項目を前記グループ毎に予め登録しておくものとすることができる。
【００１０】
また、上記表示項目とは、患者情報、撮影情報および表示情報等に関する項目であり、例えば、患者名、患者ＩＤ、年齢、撮影モダリティの種類、撮影部位、撮影方向、撮影倍率等を意味するものであり、項目情報とは、上記表示項目の具体的な内容を示す情報を意味するものであり、例えば表示項目である撮影モダリティの項目情報としてはＣＲ、ＭＲ、ＭＲＩ等が挙げられ、表示項目である撮影部位の項目情報としては、乳房、頭部、腹部等が挙げられる。
【００１１】
なお、グループ分類条件は、例えば、画像データが表示画面上に表示されたときに、表示画面中に被写体が表示される領域、位置および向き等によって定められるものとすることができ、このグループ分類条件は、例えば画像データに付帯する付帯情報に含まれる項目情報に基づいて定めるようにてもよい。
【００１２】
また、入力された画像データをグループ分類条件に基づいて特定のグループに分類する手法は、例えば、この入力された画像データが付帯する付帯情報に含まれる項目情報によって、この画像データが表示画面上に表示されたときに表示画面中に被写体が表示される領域、位置および向きを予想することができるので、これらの項目情報に基づいて上記画像データを特定のグループに分類するようにしてもよし、あるいは、画像データを分析してこの画像データが表示画面上に表示されたときに表示画面中に被写体が表示される領域、位置および向きを求め、これにより上記画像データを特定のグループに分類するようにしてもよい。
【発明の効果】
【００１３】
本発明の医療用画像表示方法および装置によれば、グループ分類条件と、各グループ毎に定められる表示項目およびこの表示項目に応じた項目情報を表示させる表示画面上の表示位置とを予め登録しておき、入力された画像データを登録されているグループ分類条件に基づいて特定のグループに分類し、上記画像データが属する上記特定のグループについて定められている表示項目および表示位置にしたがって項目情報を表示させるようにしたので、項目情報を表示画面上の適切な場所に表示させることができ、従来のように表示画面上において被写体が表示される領域と項目情報が表示される領域とが重なって表示されたり、注目される項目情報が見にくい場所に表示されることなく、表示画面から診断に必要な情報を容易に読み取ることができる。
【００１４】
また、表示項目をグループ毎に予め登録しておくようにすれば、上記登録されたグループ毎に、注目している表示項目についての項目情報を表示画面上の見やすい位置に表示させ、注目していない表示項目については非表示にしたり表示画面上の目立たない位置に表示させるようにすることができ、表示画面から診断に必要な情報をより容易に読み取ることができる。
【発明を実施するための最良の形態】
【００１５】
以下、本発明の実施の形態について、図面を用いて説明する。図１は、本発明の医療用画像表示装置の実施の形態の概略構成を示すブロック図、図２はグループ分類条件登録用の画面を示す図、図３はグループの分類条件を登録する画面の様子を示す図、図４はグループ毎に定められる表示項目を登録する画面の様子を示す図、図５は表示位置登録用の画面を示す図、図６は項目情報画面フレームデータによって表される画像を示す図、図７は被写体画面フレームデータによって表される画像を示す図、図８は合成映像データが表す画像を示す図、図９および図１０はデフォルトのグループに分類された画像データについて作成された合成映像データの例を示す図である。
【００１６】
本発明の実施の形態による医療用画像表示装置は、画像データを複数のグループに分類するグループ分類条件と、各グループ毎に定められる表示項目および上記表示項目に応じた項目情報を表示させる表示画面上の表示位置とを予め登録しておく登録手段である登録用パーソナルコンピュータ１０と、入力された画像データを上記グループ分類条件に基づいて特定のグループに分類する分類手段２０と、上記画像データが属する特定のグループについて定められている上記表示項目および表示位置にしたがって項目情報を表示させる表示制御手段３０と、上記画像データに基づいて作成された画像等を表示させる表示器４０とを備えている。なお、上記画像データは項目情報を含む付帯情報を表す付帯データを伴って分類手段２０に入力されるものである。
【００１７】
登録用パーソナルコンピュータ１０は、上記グループ分類条件と表示項目と表示位置とを登録するための情報を表示させるディスプレイ１１と、上記登録の操作に使用されるマウス１２と、登録された上記グループ分類と表示項目と表示位置とを記憶させておく記憶部１３とを有している。
【００１８】
分類手段２０は、画像データと共に付帯データを入力すると、入力された付帯データ中の項目情報の内容を上記パーソナルコンピュータ１０に登録されているグループ分類条件と比較して、この画像データを特定のグループに分類し、この特定のグループを示すグループフラッグを上記付帯データに添付して、このグループフラッグが添付された付帯データと上記画像データとを表示制御手段３０に出力する。
【００１９】
表示制御手段３０は、上記付帯データと画像データとを入力すると、付帯データに添付されているグループフラッグに基づいて上記パーソナルコンピュータ１０の記憶部１３を参照し、このグループフラッグが示す特定のグループに対して登録されている表示項目およびこの表示項目を表示させる表示画面上の表示位置とを上記記憶部１３から入力する。そして、画像データに基づいて被写体の画像を表す被写体画面フレームデータ（以後被写体画面フレームと呼ぶ）を作成すると共に、上記項目情報を上記表示位置に表示させた画像を表す項目情報画面フレームデータ（以後項目情報画面フレームと呼ぶ）を作成し、被写体画面フレームと項目情報画面フレームとを合成した合成画面フレームデータ（以後合成画面フレームと呼ぶ）を診断用の医療用画像として表示器４０の表示画面４１上に表示させる。
【００２０】
次に上記合成画面フレームの作成について詳しく説明する。
【００２１】
まず始めに、登録用パーソナルコンピュータ１０によるグループ分類条件、表示項目および表示位置の登録について説明する。
【００２２】
登録用パーソナルコンピュータ１０を起動させグループ分類条件登録用の画面を呼び出して、ディスプレイ１１に図２に示すようなグループ分類条件登録用の項目一覧表Ｈ１が表示されている画面Ｇ１（グループＡの分類条件登録用の画面）を表示させる。マウス１２の操作によって、例えば上記項目一覧表Ｈ１の撮影モダリティを選択すると図３に示すように選択項目の一覧Ｈ１′がドロップダウンされＣＲ、ＣＴ、ＭＲＩが表示される、この中の項目を選択することによりグループＡの分類条件の１つが登録される。このようにして、グループＡの分類条件としてモダリティ：ＣＲ、撮影部位：左乳房、撮影方向：斜めが登録される。グループＡの分類条件の登録が終了すると、次に、画面Ｇ１中のグループ選択ドロップダウンボタンＪ１をクリックしてグループＢを選択しグループＢの分類条件登録用の画面に更新する。このようにしてグループＢの分類条件としてモダリティ：ＣＲ、撮影部位：左乳房、撮影方向：上下を登録し、続いてグループＣの分類条件としてモダリティ：ＣＲ、撮影部位：右乳房、撮影方向：斜めを登録し、最後にグループＤの分類条件としてモダリティ：ＣＲ、撮影部位：右乳房、撮影方向：上下を選択して登録しグループ分類条件の登録を終了する。
【００２３】
次に、表示画面４１上に表示させる表示項目を登録する表示項目登録用の画面を呼び出す。図４に示すように、上記呼び出された表示項目登録用の画面Ｇ２中に表示された表示項目一覧表Ｈ２から、上記４つのグループごとに定められる表示項目をマウス１２の操作によって登録する。例えば、上記グループＡに対して定められる表示項目を、上記表示項目一覧表Ｈ２からマウス１２のダブルクリックの操作により選択して登録する。
【００２４】
これにより、グループＡに対して、患者氏名、患者性別、患者ＩＤ、患者生年月日、撮影日、撮影方向、撮影モダリティ、撮影部位、撮影条件、表示倍率が表示項目として登録される。次に、画面Ｇ２中のグループ選択ドロップダウンボタンＪ２をクリックしてグループＢを選択し上記と同様の操作によってグループＢの表示項目が登録される。続いてグループＢ、Ｃ、Ｄに対しても上記と同様の操作によって表示項目が登録される。
【００２５】
次に、表示画面４１上に表示させる、表示項目に応じた項目情報の表示位置を登録する表示位置登録用の画面を呼び出す。
【００２６】
図５に示すように、上記呼び出された表示位置登録用の画面Ｇ３（グループＡに対する登録用画面）の左側には上記グループＡに対して既に登録されている登録済の表示項目（患者氏名、患者性別、患者ＩＤ、患者生年月日、撮影日、撮影方向、撮影モダリティ、撮影部位、撮影条件、表示倍率）の一覧表Ｈ３が表示され、表示位置登録用の画面Ｇ３の右側には表示位置を指定するためのエントリーゾーンＥが示される。この画面Ｇ３内のエントリーゾーンＥは上記表示項目に応じた項目情報を表示させる表示画面を想定したものであり、マウス１２の操作により上記一覧表中の表示項目を上記表示画面を想定したエントリーゾーン内の所望の位置へドラッグ＆ドロップすることにより表示画面上に表示させる項目情報の表示位置を登録することができる。これにより、グループＡに対して、表示項目（患者氏名、患者性別、患者ＩＤ、患者生年月日、撮影日、撮影方向、撮影モダリティ、撮影部位、撮影条件、表示倍率）に応じた項目情報を表示させる表示位置が登録される。次に、画面Ｇ３中のグループ選択ドロップダウンボタンＪ３をクリックしてグループＢを選択し上記と同様の操作によってグループＢに登録されている表示項目に応じた項目情報の表示位置が登録される。続いてグループＢ、Ｃ、Ｄに対しても上記と同様の操作によって表示位置が登録される。
【００２７】
上記操作によって、登録用パーソナルコンピュータ１０によるグループ分類条件、表示項目および表示位置の登録が完了する。
【００２８】
上記登録の完了後、画像データが付帯データを伴って外部から分類手段２０に入力される。ただし、この入力された画像データが担持している画像は左乳房であり、上記付帯データに含まれる項目情報は、患者氏名：富士花子、患者性別：女、患者ＩＤ：1234567890、患者生年月日：1968.10.24生、撮影日：2001.05.24、撮影方向：斜め、撮影モダリティ：ＣＲ、撮影部位：左乳房、撮影条件：管電圧２６ｋＶ・管電流９０ｍＡ・乳房厚さ２９ｍｍ、表示倍率７０％である。
【００２９】
分類手段２０は、入力された付帯データに含まれる項目情報を上記パーソナルコンピュータ１０に登録されているグループ分類条件と比較して、この画像データがグループＡの分類条件（モダリティ：ＣＲ、撮影部位：左乳房、撮影方向：斜めを）に当てはまることを確認すると、この画像データがグループＡに分類されたことを示すグループフラッグＦＡが上記付帯データに添付され、上記画像データと付帯データとが表示制御手段３０に出力される。
【００３０】
表示制御手段３０は、上記画像データと付帯データとを入力し、この付帯データに添付されている上記グループフラッグＦＡに基づいて、上記パーソナルコンピュータ１０の記憶部１３を参照してグループＡに対して登録されている表示項目および表示位置の情報を入力し、この位置情報に基づいて上記付帯データ中の項目情報を所定の表示位置に表示させる図６に示すような画像を表す項目情報画面フレームを作成する。また、表示制御手段３０は、上記項目情報画面フレームの作成と共に、上記画像データに基づいて図７に示すような被写体の画像を表す被写体画面フレームを作成する。
【００３１】
その後、表示制御手段３０は、上記作成された被写体画面フレームと項目情報画面フレームとを合成して、図８に示すような被写体の画像と項目情報とが重ねて表される合成映像フレームを作成し表示器４０に出力する。
【００３２】
合成映像フレームを入力した表示器４０は、この合成映像フレームを映像信号に変換して診断用の医療用画像として表示器４０の表示画面４１上に表示させる。
【００３３】
なお、上記分類手段２０に付帯データを伴って入力された画像データが上記グループＡの分類条件からグループＤの分類条件のいずれにも合致しない場合には、付帯データにデフォルトフラッグＦＦを付帯させて上記画像データと付帯データとがこの分類手段２０から出力され、この画像データと付帯データとを入力した表示制御手段３０は、パーソナルコンピュータ１０の記憶部１３にデフォルトとして記憶されている表示項目およびこの表示項目に対する項目情報の表示位置の情報を入力し、これらの情報に基づいて上記と同様に合成映像フレームを作成して表示器４０に出力する。合成映像フレームを入力した表示器４０は、この合成映像フレームを映像信号に変換して診断用の医療用画像として表示器４０の表示画面４１上に表示させる。
【００３４】
このようにして表示される表示画面は、図９に示す腹部をＣＴで撮影した場合における表示であっても、あるいは図１０に示す胸部をＣＲで撮影した場合における表示であっても、四隅の同じ位置に同じ表示項目に関する項目情報が表示される。
【００３５】
なお、上記実施の形態においては、各グループ毎の表示項目を、登録手段である登録用パーソナルコンピュータに予め登録しておくようにしたが、必ずしも表示項目を予め登録しておくようにしておく必要はなく、表示項目の登録手段を備えなくても表示画面から診断に必要な情報を容易に読み取ることができるようにする効果を得ることができる。
【００３６】
また、以下のような１から１４の機能を上記実施の形態に備えるようにしてもよい。
【００３７】
１．ドラッグ＆ドロップ元の情報は、患者情報、撮影情報等以外にテンポラルな情報、例えば画像処理パラメータも項目情報として登録可能にする機能。
【００３８】
２．表示させる項目情報に、プレフィックス（項目情報の前につける文字：例えば、撮影日：）、サフィックス（項目情報の後につける文字：例えば、ｍＡ，％）の指定を可能にする機能
３．項目情報の特性に応じて、変換処理も可能とする機能
例１：数値情報の場合は、１０で割った値を表示させるなど
例２：日付の場合は、日付のフォーマットが指定できる（例えば25.Jan.2001）
例３：時刻の場合は、１２時間表示／２４時間表示させるなど
例４：特殊な変更  性別  Ｍ→男、Ｆ→女
４．文字フォント（サイズ、タイプ、色、特殊形態（袋文字等）など）の指定を可能（全体、個々のいずれか一方もしくは双方）とする機能
５．ウインドウが小さい場合などで文字が重なる場合は、自動的にフォントを小さくするか非表示とする機能
６．文字の背景は塗りつぶし、もしくは透明を指定可能とする機能
７．項目情報毎に最大の文字長さを指定することを可能とする機能
８．項目情報に含まれる文字中の空白を埋めて表示させる機能
９．表示項目に応じた項目情報が無い時に、次の項目情報を詰めて表示させる機能
１０．左側の情報は左寄せ、右側の情報は右寄せ、上側の情報は上寄せ、下側の情報は下寄せにして詰めて表示させる機能
１１．グループを検索する際に優先順位を指定可能とする機能（例えばＣＲ左乳房を最も高い優先順位にしてグループ分類条件に登録し、その他のＣＲ画像を下位の優先順位にしてグループ分類条件に登録することを可能とする）
１２．画像表示時に項目情報の表示／非表示の切替を可能とする機能
１３．拡大画像を表示させるための小さなウインドウ（例えばＣＡＤ検出画像の拡大表示）を表示させるときなどに、このウインドウに重なる項目情報を非表示にする
１４．ハードコピー時に項目情報をそのまま使用可能する機能
上記のように本発明によれば、項目情報を表示画面上の適切な位置に表示させることができ、表示画面から診断に必要な情報を容易に読み取ることができる。
【図面の簡単な説明】
【００３９】
【図１】本発明の実施の形態による医療用画像表示装置の概略構成を示す図
【図２】グループ分類条件登録用の画面を示す図
【図３】グループの分類条件を登録する様子を示す図
【図４】グループ毎に定められる表示項目を登録する様子を示す図
【図５】表示位置登録用の画面を示す図
【図６】項目情報画面フレームデータによって表される画像を示す図
【図７】被写体画面フレームデータを示す図
【図８】合成映像データが表す画像を示す図
【図９】デフォルトのグループに分類された画像データの合成映像データの例を示す図
【図１０】デフォルトのグループに分類された画像データの合成映像データの例を示す図
【符号の説明】
【００４０】
１０    登録用パーソナルコンピュータ
２０    分類手段
３０    表示制御手段
【図１】
2005251075.tif 000003
【図２】
2005251075.tif 000004
【図３】
2005251075.tif 000005
【図４】
2005251075.tif 000006
【図５】
2005251075.tif 000007
【図６】
2005251075.tif 000008
【図７】
2005251075.tif 000009
【図８】
2005251075.tif 000010
【図９】
2005251075.tif 000011
【図１０】
2005251075.tif 000012